(57)【要約】【課題】  伝送ビットレートが低速であるOC3/STM-1及びOC12/STM-4のクライアント信号に対して、トランスペアレント伝送を可能とする光伝送装置を提供する。【解決手段】  光伝送装置１００は、クライアント信号からデータ及びクロックを抽出するクロックデータ再生部２０と、データのフレーム同期を取る第１のフレーマー部３１と、データのフレームをOC48/STM-16又はOC192/STM-64のフレーム構成にマッピングするマッパー部３２と、マッピングされたフレームをＯＰＵ１ペイロード又はＯＰＵ２ペイロードに収容してＯＤＵ１フレーム又はＯＤＵ２フレームを構成するスタッフマッピング部５１と、多重したＯＤＵ１フレーム又はＯＤＵ２フレームをＯＰＵ２ペイロード又はＯＰＵ３ペイロードに収容してＯＴＵ２フレーム又はＯＴＵ３フレームを構成するOTUｋマッピング／デマッピング部６０と、を備えている。【選択図】        図２
2010206625.tif 000002
【特許請求の範囲】
【請求項１】
ＳＯＮＥＴ／ＳＤＨネットワーク内を伝送するクライアント信号と、ＷＤＭネットワーク内を伝送するＯＴＵ２信号又はＯＴＵ３信号とを相互に変換する光伝送装置であって、
前記クライアント信号からデータ及びクロックを抽出するクロックデータ再生部と、
前記クロックに基づき、前記データのフレーム同期を取る第１のフレーマー部と、
前記データのフレームを、前記フレーム同期して、ＯＣ４８／ＳＴＭ−１６又はＯＣ１９２／ＳＴＭ−６４のフレーム構成にマッピングするマッパー部と、
前記マッパー部によりマッピングされたフレームを、基準クロックで生成されるＯＰＵ１ペイロード又はＯＰＵ２ペイロードに収容してＯＤＵ１フレーム又はＯＤＵ２フレームを構成するスタッフマッピング部と、
４若しくは１６つの前記ＯＤＵ１フレーム又は１若しくは４つの前記ＯＤＵ２フレームを、基準クロックで生成されるＯＰＵ２ペイロード又はＯＰＵ３ペイロードに収容してＯＴＵ２フレーム又はＯＴＵ３フレームを構成するマッピング／デマッピング部と、
を備えていることを特徴とする光伝送装置。
【請求項２】
前記請求項１に記載の光伝送装置において、
前記マッピング／デマッピング部が、前記ＷＤＭネットワークからのＯＴＵ２フレーム又はＯＴＵ３フレームをデマッピングして、ＯＰＵ２ペイロード又はＯＰＵ３ペイロードから４若しくは１６つのＯＤＵ１フレーム又は１若しくは４つのＯＤＵ２フレームを抽出し、
前記マッピング／デマッピング部より抽出されたＯＤＵ１フレーム又はＯＤＵ２フレームをデマッピングして、ＯＰＵ１ペイロード又はＯＰＵ２ペイロードからＯＣ４８／ＳＴＭ−１６又はＯＣ１９２／ＳＴＭ−６４のフレームを抽出するデスタッフデマッピング部と、
デスタッフデマッピング部により抽出されたフレームにおけるジャスティフィケーション機能に基づき、クライアント信号に対応するクロックを生成するクロック生成部と、
前記クロック生成部により生成されたクロックに同期して、前記デスタッフデマッピング部により抽出されたフレームから、クライアント信号に対応するＯＣ３／ＳＴＭ−１、ＯＣ１２／ＳＴＭ−４又はＯＣ４８／ＳＴＭ−１６のフレームのオーバヘッド及びペイロードを抽出するデマッパー部と、
デマッパー部により抽出したオーバヘッド及びペイロードに基づき、ＯＣ３／ＳＴＭ−１、ＯＣ１２／ＳＴＭ−４又はＯＣ４８／ＳＴＭ−１６のフレームを構成する第２のフレーマー部と、
を備えていることを特徴とする光伝送装置。
【請求項３】
前記請求項１又は２に記載の光伝送装置において、
前記第１のフレーマー部が、前記データのフレーム同期を取る第１のフレーム同期部と、前記データに対応するＯＣ３／ＳＴＭ−１、ＯＣ１２／ＳＴＭ−４又はＯＣ４８／ＳＴＭ−１６のフレームにおけるＢ１バイト及びＢ２バイトの結果をそれぞれ検出する第１のＢ１／Ｂ２結果検出部とを備え、
前記マッパー部が、前記データに対応するＯＣ３／ＳＴＭ−１、ＯＣ１２／ＳＴＭ−４又はＯＣ４８／ＳＴＭ−１６のフレームを、前記フレーム同期して、前記ＯＣ４８／ＳＴＭ−１６又はＯＣ１９２／ＳＴＭ−６４のフレーム構成にマッピングするタイムスロットマッピング部と、当該タイムスロットマッピング部によりマッピングされた、前記ＯＣ４８／ＳＴＭ−１６又はＯＣ１９２／ＳＴＭ−６４のフレームにおけるＢ１バイト及びＢ２バイトをそれぞれ演算する第１のＢ１／Ｂ２演算部と、前記第１のＢ１／Ｂ２結果検出部により検出された検出結果及び前記第１のＢ１／Ｂ２演算部により演算された演算結果の排他的論理和をそれぞれ演算し、前記タイムスロットマッピング部によりマッピングされた、前記ＯＣ４８／ＳＴＭ−１６又はＯＣ１９２／ＳＴＭ−６４のフレームにおけるＢ１バイト及びＢ２バイトに演算結果をそれぞれ挿入する第１のＢ１／Ｂ２再挿入部とを備えていることを特徴とする光伝送装置。
【請求項４】
前記請求項２に記載の光伝送装置において、
前記デマッパー部が、前記クロック生成部により生成されたクロックに基づき、フレーム同期を取る第２のフレーム同期部と、前記デスタッフデマッピング部により抽出されたフレームにおけるＢ１バイト及びＢ２バイトの結果をそれぞれ検出する第２のＢ１／Ｂ２結果検出部と、前記クロック生成部により生成されたクロックに同期して、前記デスタッフデマッピング部により抽出されたフレームから、クライアント信号に対応するＯＣ３／ＳＴＭ−１、ＯＣ１２／ＳＴＭ−４又はＯＣ４８／ＳＴＭ−１６のフレームのオーバヘッド及びペイロードを抽出するタイムスロットデマッピング部とを備え、
前記第２のフレーマー部が、前記タイムスロットデマッピング部により抽出したオーバヘッド及びペイロードに基づき構成した、ＯＣ３／ＳＴＭ−１、ＯＣ１２／ＳＴＭ−４又はＯＣ４８／ＳＴＭ−１６のフレームにおけるＢ１バイト及びＢ２バイトをそれぞれ演算する第２のＢ１／Ｂ２演算部と、前記第２のＢ１／Ｂ２結果検出部により検出された検出結果及び前記第２のＢ１／Ｂ２演算部により演算された演算結果の排他的論理和をそれぞれ演算し、前記ＯＣ３／ＳＴＭ−１、ＯＣ１２／ＳＴＭ−４又はＯＣ４８／ＳＴＭ−１６のフレームにおけるＢ１バイト及びＢ２バイトに演算結果をそれぞれ挿入する第２のＢ１／Ｂ２再挿入部とを備えていることを特徴とする光伝送装置。
【請求項５】
ＳＯＮＥＴ／ＳＤＨネットワーク内を伝送するクライアント信号と、ＷＤＭネットワーク内を伝送するＯＴＵ２信号又はＯＴＵ３信号とを相互に変換する光伝送方法であって、
前記クライアント信号からデータ及びクロックを抽出するクロックデータ再生ステップと、
前記クロックに基づき、前記データのフレーム同期を取る第１のフレーマーステップと、
前記データのフレームを、前記フレーム同期して、ＯＣ４８／ＳＴＭ−１６又はＯＣ１９２／ＳＴＭ−６４のフレーム構成にマッピングするマッパーステップと、
前記マッパーステップによりマッピングされたフレームを、基準クロックで生成されるＯＰＵ１ペイロード又はＯＰＵ２ペイロードに収容してＯＤＵ１フレーム又はＯＤＵ２フレームを構成するスタッフマッピングステップと、
４若しくは１６つの前記ＯＤＵ１フレーム又は１若しくは４つの前記ＯＤＵ２フレームを、基準クロックで生成されるＯＰＵ２ペイロード又はＯＰＵ３ペイロードに収容してＯＴＵ２フレーム又はＯＴＵ３フレームを構成するマッピング／デマッピングステップと、
を有することを特徴とする光伝送方法。
【請求項６】
前記請求項５に記載の光伝送方法において、
前記マッピング／デマッピングステップが、前記ＷＤＭネットワークからのＯＴＵ２フレーム又はＯＴＵ３フレームをデマッピングして、ＯＰＵ２ペイロード又はＯＰＵ３ペイロードから４若しくは１６つのＯＤＵ１フレーム又は１若しくは４つのＯＤＵ２フレームを抽出し、
前記マッピング／デマッピングステップより抽出されたＯＤＵ１フレーム又はＯＤＵ２フレームをデマッピングして、ＯＰＵ１ペイロード又はＯＰＵ２ペイロードからＯＣ４８／ＳＴＭ−１６又はＯＣ１９２／ＳＴＭ−６４のフレームを抽出するデスタッフデマッピングステップと、
デスタッフデマッピングステップにより抽出されたフレームにおけるジャスティフィケーション機能に基づき、クライアント信号に対応するクロックを生成するクロック生成ステップと、
前記クロック生成ステップにより生成されたクロックに同期して、前記デスタッフデマッピングステップにより抽出されたフレームから、クライアント信号に対応するＯＣ３／ＳＴＭ−１、ＯＣ１２／ＳＴＭ−４又はＯＣ４８／ＳＴＭ−１６のフレームのオーバヘッド及びペイロードを抽出するデマッパーステップと、
デマッパーステップにより抽出したオーバヘッド及びペイロードに基づき、ＯＣ３／ＳＴＭ−１、ＯＣ１２／ＳＴＭ−４又はＯＣ４８／ＳＴＭ−１６のフレームを構成する第２のフレーマーステップと、
を有することを特徴とする光伝送方法。
【発明の詳細な説明】
【技術分野】
【０００１】
本発明は、SONET（Synchronous Optical Network：同期型光ネットワーク）/SDH（Synchronous Digital Hierarchy：同期デジタルハイアラーキー）信号を、ITU-T（International Telecommunication Union Telecommunication Standardization Sector：国際電気通信連合 電気通信標準化部門）G.709にて標準化されたOTUk（Optical Transport Unit：光伝送ユニット、k=2,3）信号に収容し、SONET/SDH信号のクロック及びデータをトランスペアレントに伝送する光伝送装置及び光伝送方法に関する。
【背景技術】
【０００２】
SONET/SDH装置から送出され、SONET/SDHネットワーク内を伝送するSONET/SDH信号（以下、クライアント信号と称す）を、光コアネットワークにおいて転送する技術として、OTN（Optical Transport Network：光伝送網）がある。OTNは、WDM（Wavelength Division Multiplex：波長分割多重）伝送方式を基礎として、ITU-Tで標準化がなされている。また、WDMネットワーク内を伝送するOTUk（k=2,3）信号は、クライアント信号をトランスペアレントに伝送することが要求される。
【０００３】
すなわち、クライアント信号をOTUk（k=2,3）信号に収容して伝送する場合には、SONET/SDH装置から送出されるSONET/SDHの主信号の他、オーバヘッドやクロックのトランスペアレント伝送が必要となる。
【０００４】
特に、オーバヘッドに関しては、SONET/SDHで定義されるUser'sバイトを透過させ接続される、SONET/SDH装置の対向間通信をトランスペアレントにする必要がある。なお、User'sバイトとは、APS（Automatic Protection Switch：自動保護スイッチ）切替に使用するK1バイトやK2バイト、局舎間のデータコミュニケーションに使用されるSDCC（Section Data Communication Channel：セクションデータ通信チャネル）/LDCC（Line Data Communication Channel：回線データ通信チャネル）バイト等である。
【０００５】
また、クロックに関しては、例えば、図１５に示すように、WDMネットワークに接続されるSONET/SDHネットワークにおいて、複数のユーザ（局舎）が網同期を取るために、その周波数偏差を対向のSONET/SDH装置に伝送する必要がある。なお、図１５においては、ＷＤＭネットワークに接続された、SONET/SDHの同期系を組んでいる、ユーザＡの局舎として、クロック源を有する＃１局とクロック源を有さない＃２局とを図示している。また、WDMネットワークに接続された、SONET/SDHの同期系を組んでいる、ユーザＢの局舎として、クロック源を有しない＃１局とクロック源を有する＃２局とを図示している。
【０００６】
これに対し、従来の光伝送装置は、複数本のクライアント信号を収容し、上位レイヤへ多重及び分離するにあたり、各ポートの受信部においてSONET/SDHのポインタ機能（H1バイト、H2バイト処理）を使用して、装置内の基準クロックへ乗せ換える。そして、分離したパスを多重及び分離する。このとき、SONET/SDHのセクションオーバヘッド情報は、SONET/SDHで規定される上位レイヤのマッピング方法を取ることで終端される。
【０００７】
このため、オーバヘッドをトランスペアレントに伝送する場合は、一旦、オーバヘッド情報を退避及び格納させて、上位レイヤへのフレームのオーバヘッドの未使用バイトに再挿入して、B1バイトやB2バイトの再演算を行うなどの処理を行う必要がある。なお、クロックのトランスペアレントに関しては、複数のポートを持つ従来の光伝送装置において、複数種のクロック伝送を行うことができないために、別回線を使用するなどにより、クロックの伝送を行う必要がある。
【０００８】
なお、本発明とは、直接的に関係しないのであるが、従来の多重化中継伝送装置は、GbE信号を受信する２チャンネルのGbE受信回路と、それぞれに接続された２チャンネルの独立したクロックにより書き込み、読み出し可能なFIFOメモリとを備える。また、従来の多重化中継伝送装置は、読み出した２チャンネルの信号を多重化する多重化回路と、多重化された２チャンネルの信号をOTUフレームのOTUペイロードにマッピングするOTUフレーム生成回路と、OTUフレーム構造の伝送信号を送信する光送信回路を備える（例えば、特許文献１参照）。
【０００９】
また、従来のデジタル伝送システムは、異なるビットレートを持つ複数種類のクライアント信号のうち最も高いビットレートを持つクライアント信号以外のクライアント信号に対して、このクライアント信号のビットレートを、特定の固定フレームを用いて、ダミーパターンを固定フレームに挿入する（例えば、特許文献２参照）。
【先行技術文献】
【特許文献】
【００１０】
【特許文献１】特開２００２−２４７０７３号公報
【特許文献２】特開２００８−１７７７７３号公報
【発明の概要】
【発明が解決しようとする課題】
【００１１】
従来の光伝送装置では、複数のポートに入力されるクライアント信号を収容する場合に、装置内の基準クロックへの乗せ換えを行うことにより、全てのデータ（オーバヘッド、ペイロード）をトランスペレントに伝送する。この基準クロックに乗せ換えるためには、終端されたセクションオーバヘッドを抜き出し、再度、上位レイヤの未使用バイトに挿入する処理が必要となるため、回路構成が複雑になるという課題がある。
【００１２】
また、複数本のクライアント信号を上位レイヤに多重及び分離する場合には、クライアント信号のマッピング又はデマッピングを行うことになるため、各ポートのクロックは、一旦、装置内の基準クロックへ乗せ換えられる。このため、図１６に示す従来の光伝送装置のシステム構成においては、各ポートを独立して、クロックのトランスペアレントを実現することができないという課題がある。
【００１３】
一方、非同期の複数のクライアント信号を個別にトランスペアレント伝送する手法としては、図１７に示すように、OTNフレームにスタッフ又はデスタッフして、マッピング又はデマッピングする方法が、ITU-T G.709にて標準化されている。
【００１４】
このITU-T G.709では、図１７（ａ）に示すように、伝送ビットレートが2.48832Gbps±20ppmであるクライント信号（例：OC（Optical Channel：光チャネル）48/STM（Synchronous Transport Module：同期転送モジュール）-16）を４多重する。そして、この４多重したクライアント信号を、伝送ビットレートが10.7092253164557Gbps±20ppmであるOTU2フレームにスタッフ又はデスタッフして、マッピング又はデマッピングする方法が標準化されている。
【００１５】
また、ITU-T G.709では、図１７（ｂ）に示すように、伝送ビットレートが2.48832Gbps±20ppmであるクライアント信号（例：OC48/STM-16）を１６多重する。そして、この１６多重したクライアント信号を、伝送ビットレートが43.018413559322Gbps±20ppmであるOTU3フレームにスタッフ又はデスタッフして、マッピング又はデマッピングする方法が標準化されている。
【００１６】
また、ITU-T G.709では、図１７（ｃ）に示すように、伝送ビットレートが9.95328Gbps±20ppmであるクライアント信号（例：OC192/STM-256）を４多重する。そして、この４多重したクライアント信号を、伝送ビットレートが43.018413559322Gbps±20ppmであるOTU3フレームにスタッフ又はデスタッフして、マッピング又はデマッピングする方法が標準化されている。
【００１７】
しかしながら、伝送ビットレートが622.08Mbps±20ppmであるクライアント信号（例：OC12/STM-4）や155.52Mbps±20ppmであるクライアント信号（例：OC3/STM-1）を、OTU2やOTU3のOTNフレームに多重してマッピング又はデマッピングすると帯域が不足する。すなわち、ITU-T G.709では、クライアント信号をペイロードに収容するのに、伝送ビットレートが2.48832Gbpsである１本のクライアント信号に対して、周波数偏差±20ppmのスタッフ又はデスタッフのJC（Justification）バイトが規定されている。このため、伝送ビットレートが622.08Mbpsであるクライアント信号を、2.48832Gbpsであるクライアント信号の替わりにペイロードに収容する場合には、４本のクライアント信号が収容でき、各周波数偏差の合算により、JCバイトが不足し、周波数偏差を吸収できないのである。また、伝送ビットレートが155.52Mbps±20ppmであるクライアント信号も同様に、JCバイトが不足し、周波数偏差を吸収できず、SONET/SDHの周波数偏差の規格である±20ppmを満足できない。したがって、これらの低速（低レイヤ）のクライアント信号（OC3/STM-1やOC12/STM-4）は、トランスペアレント伝送ができないという課題がある。
【００１８】
また、OTNフレームのデスタッフを利用してクロックを再生する構成では、OPU（Optical Channel Payload Unit：光チャネルペイロードユニット）のペイロードが壊れる様なOTNネットワーク上での障害が発生した場合に、クライアントに出力されるクロックが再生できず、SONET/SDHの周波数偏差の規格である±20ppmを満足できないという課題がある。
【課題を解決するための手段】
【００１９】
この発明に係る光伝送装置は、クライアント信号からデータ及びクロックを抽出するクロックデータ再生部と、前記クロックに基づき、前記データのフレーム同期を取る第１のフレーマー部とを備えている。また、光伝送装置は、前記データのフレームを、前記フレーム同期して、ＯＣ４８／ＳＴＭ−１６又はＯＣ１９２／ＳＴＭ−６４のフレーム構成にマッピングするマッパー部とを備えている。また、光伝送装置は、前記マッパー部によりマッピングされたフレームを、基準クロックで生成されるＯＰＵ１ペイロード又はＯＰＵ２ペイロードに収容してＯＤＵ１フレーム又はＯＤＵ２フレームを構成するスタッフマッピング部とを備えている。また、光伝送装置は、４若しくは１６つの前記ＯＤＵ１フレーム又は１若しくは４つの前記ＯＤＵ２フレームを、基準クロックで生成されるＯＰＵ２ペイロード又はＯＰＵ３ペイロードに収容してＯＴＵ２フレーム又はＯＴＵ３フレームを構成するマッピング／デマッピング部とを備えている。
【発明の効果】
【００２０】
開示の光伝送装置は、OC48/STM-16及びOC192/STM-64のクライアント信号のみならず、伝送ビットレートが低速（低レイヤ）であるOC3/STM-1及びOC12/STM-4のクライアント信号に対しても、データ、オーバヘッド及びクロックのトランスペアレント伝送を可能とする効果を奏する。
【図面の簡単な説明】
【００２１】
【図１】図１はSONET/SDHネットワークとWDMネットワークとの関係を示す概略図である。
【図２】本実施形態に係る光伝送装置の概略構成を示すブロック図である。
【図３】図２に示すクロック生成部の内部構成の一例を示すブロック図である。
【図４】図２に示す光伝送装置の一例を示すブロック図である。
【図５】（ａ）はOC3/STM-1、OC12/STM-4又はOC48/STM-16からOTU2へのマッピングスキーム図、（ｂ）はOC3/STM-1、OC12/STM-4又はOC48/STM-16のOTU2への非同期多重方式を説明するための説明図である。
【図６】SONET/SDHのフレーム構成のマッピングを説明するための説明図であり、（ａ）はOPUK CBR2G5のマッピングを説明するためのフレーム構成図、（ｂ）はＯＣ３フレーム構成図、（ｃ）はＯＣ４８のフレーム構成図である。
【図７】（ａ）はＬＰＦへの入力パルス波形の一例を示すタイムチャート、（ｂ）はＬＰＦへの入力パルス波形の他の例を示すタイムチャート、（ｃ）はＬＰＦへの入力パルス波形のさらに他の例を示すタイムチャートである。
【図８】（ａ）はOC3/STM-1、OC12/STM-4又はOC48/STM-16からOTU3へのマッピングスキーム図、（ｂ）はOC3/STM-1、OC12/STM-4又はOC48/STM-16のOTU3への非同期多重方式を説明するための説明図である。
【図９】（ａ）はOC3/STM-1、OC12/STM-4、OC48/STM-16又はOC192/STM-64からOTU2へのマッピングスキーム図、（ｂ）はOC3/STM-1、OC12/STM-4、OC48/STM-16又はOC192/STM-64のOTU2への非同期多重方式を説明するための説明図である。
【図１０】（ａ）はOC3/STM-1、OC12/STM-4、OC48/STM-16又はOC192/STM-64からOTU3へのマッピングスキーム図、（ｂ）はOC3/STM-1、OC12/STM-4、OC48/STM-16又はOC192/STM-64のOTU3への非同期多重方式を説明するための説明図である。
【図１１】図２に示すクロック生成部の内部構成の他の例を示すブロック図である。
【図１２】図２に示すクロック生成部の内部構成のさらに他の例を示すブロック図である。
【図１３】（ａ）は図２に示す第１のフレーマー部及びマッパー部の内部構成の一例を示すブロック図、（ｂ）はデマッパー部及び第２のフレーマー部の内部構成の一例を示すブロック図である。
【図１４】（ａ）はマッパー側におけるB1バイト及びB2バイトの再挿入処理を説明するための説明図、（ｂ）はデマッパー側におけるB1バイト及びB2バイトの再挿入処理を説明するための説明図である。
【図１５】SONET/SDHネットワークとWDMネットワークとの関係を示す概略図である。
【図１６】従来の光伝送装置の概略構成を示すブロック図である。
【図１７】ITU.T G709による非同期多重方式を説明するための説明図であり、（ａ）はOC48/STM-16のOTU2への非同期多重方式を説明するための説明図、（ｂ）はOC48/STM-16のOTU3への非同期多重方式を説明するための説明図、（ｃ）はOC192/STM-64のOTU3への非同期多重方式を説明するための説明図である。
【発明を実施するための形態】
【００２２】
ここで、本発明は多くの異なる形態で実施可能である。したがって、下記の実施形態の記載内容のみで解釈すべきではない。また、実施形態の全体を通して同じ要素には同じ符号を付けている。
【００２３】
実施形態では、主にシステムについて説明するが、いわゆる当業者であれば明らかな通り、本発明はコンピュータで使用可能なプログラム、方法としても実施できる。また、本発明は、ハードウェア、ソフトウェア、又は、ソフトウェア及びハードウェアの実施形態で実施可能である。プログラムは、ハードディスク、ＣＤ−ＲＯＭ、ＤＶＤ−ＲＯＭ、光記憶装置又は磁気記憶装置等の任意のコンピュータ可読媒体に記録できる。さらに、プログラムはネットワークを介した他のコンピュータに記録することができる。
【００２４】
（本発明の第１の実施形態）
図１はSONET/SDHネットワークとWDMネットワークとの関係を示す概略図である。図２は本実施形態に係る光伝送装置の概略構成を示すブロック図、図３は図２に示すクロック生成部の内部構成の一例を示すブロック図、図４は図２に示す光伝送装置の一例を示すブロック図である。図５（ａ）はOC3/STM-1、OC12/STM-4又はOC48/STM-16からOTU2へのマッピングスキーム図、図５（ｂ）はOC3/STM-1、OC12/STM-4又はOC48/STM-16のOTU2への非同期多重方式を説明するための説明図である。図６（ａ）はOPUK CBR2G5のマッピングを説明するためのフレーム構成図、図６（ｂ）はＯＣ３フレーム構成図、図６（ｃ）はＯＣ４８のフレーム構成図である。図７（ａ）はＬＰＦへの入力パルス波形の一例を示すタイムチャート、図７（ｂ）はＬＰＦへの入力パルス波形の他の例を示すタイムチャート、図７（ｃ）はＬＰＦへの入力パルス波形のさらに他の例を示すタイムチャートである。図８（ａ）はOC3/STM-1、OC12/STM-4又はOC48/STM-16からOTU3へのマッピングスキーム図、図８（ｂ）はOC3/STM-1、OC12/STM-4又はOC48/STM-16のOTU3への非同期多重方式を説明するための説明図である。図９（ａ）はOC3/STM-1、OC12/STM-4、OC48/STM-16又はOC192/STM-64からOTU2へのマッピングスキーム図、図９（ｂ）はOC3/STM-1、OC12/STM-4、OC48/STM-16又はOC192/STM-64のOTU2への非同期多重方式を説明するための説明図である。図１０（ａ）はOC3/STM-1、OC12/STM-4、OC48/STM-16又はOC192/STM-64からOTU3へのマッピングスキーム図、図１０（ｂ）はOC3/STM-1、OC12/STM-4、OC48/STM-16又はOC192/STM-64のOTU3への非同期多重方式を説明するための説明図である。
【００２５】
図１において、光伝送装置１００は、SONET/SDHネットワークとWDMネットワークとの境界に配置され、SONET/SDHネットワーク内を伝送するクライアント信号と、WDMネットワーク内を伝送するOTUk（k=2,3）信号とを相互に変換する。なお、クライアント信号は、伝送ビットレートが155.520MbpsであるOC3/STM-1信号、622.080MbpsであるOC12/STM-4信号、2.48832GbpsであるOC48/STM-16信号又は9.95328GbpsであるOC192/STM-64信号のいずれかに該当する。
【００２６】
図２において、光伝送装置１００は、光学モジュール部１０、クロックデータ再生部２０、マッピング部３０、デマッピング部４０、OPUｋマッピング／デマッピング部５０、OTUｋマッピング／デマッピング部６０及び第１の光／電気変換部７０を備えている。
【００２７】
また、光伝送装置１００は、光学モジュール部１０、クロックデータ再生部２０、マッピング部３０、デマッピング部４０及びOPUｋマッピング／デマッピング部５０を一対として、後述するODUｋ（Optical Channel Data：光チャネルデータ、k=1,2）フレームの多重する数に応じて、一又は複数組を備え、各組にクロック生成部８０をそれぞれ備える。
【００２８】
また、光伝送装置１００は、各組のOPUｋマッピング／デマッピング部５０のスタッフマッピング部５１に対して、共通する装置内の基準クロックを生成して出力するＸＯ（crystal oscillator：水晶発振器）９０を備えている。
光学モジュール部１０は、第２の光／電気変換部１１及びパラレル／シリアル相互変換部１２を備えている。
【００２９】
第２の光／電気変換部１１は、光信号と電気信号とを相互に変換する部分であり、SONET/SDHネットワークから受信するクライアント信号の光信号を電気信号に変換して、パラレル／シリアル相互変換部１２に出力する。また、第２の光／電気変換部１１は、パラレル／シリアル相互変換部１２からの電気信号を光信号に変換して、SONET/SDHネットワークの伝送路に送出する。
【００３０】
パラレル／シリアル相互変換部１２は、パラレルデータとシリアルデータとを相互に変換する回路（SerDes：SERializer/DESerializer）であり、第２の光／電気変換部１１からの電気信号をシリアルデータに変換して、クロックデータ再生部２０に出力する。
【００３１】
クロックデータ再生部２０は、クライアント信号の変換後のシリアルデータからデータ及びクロックを抽出するCDR（Clock and Data Recovery）であり、抽出したデータ及びクロックをマッピング部３０に出力する。
マッピング部３０は、第１のフレーマー部３１及びマッパー部３２を備えている。
【００３２】
第１のフレーマー部３１は、クロックデータ再生部２０から入力されるクロックに基づき、データのフレーム同期を取る部分である。
【００３３】
マッパー部３２は、データに対応するOC3／STM-1、OC12/STM-4又はOC48/STM-16のフレームを、フレーム同期して、OC48/STM-16又はOC192/STM-64のフレーム構成にマッピングする部分である。
【００３４】
なお、光伝送装置１００が受信したクライアント信号がOC192/STM-64であるならば、マッパー部３２は、OC192/STM-64のフレーム構成にマッピングすることなく、データ及びクロックをスタッフマッピング部５１に転送する。また、クライアント信号をOC48/STM-16フレームにマッピングする設定であり、光伝送装置１００が受信したクライアント信号がOC48/STM-16であるならば、マッパー部３２は、OC48/STM-16のフレーム構成にマッピングすることなく、データ及びクロックをスタッフマッピング部５１に転送する。
OPUｋマッピング／デマッピング部５０は、スタッフマッピング部５１及びデスタッフデマッピング部５２を備えている。
【００３５】
スタッフマッピング部５１は、マッパー部３２によりマッピング又は転送されたフレームを、ＸＯ９０からの基準クロックで生成されるOPU1ペイロード又はOPU2ペイロードに収容してODU1フレーム又はODU2フレームを構成する。
【００３６】
デスタッフデマッピング部５２は、OTUｋマッピング／デマッピング部６０より抽出されたODU1フレーム又はODU2フレームをデマッピングして、OPU1ペイロード又はOPU2ペイロードからOC48/STM-16又はOC192/STM-64のフレームを抽出する。なお、デスタッフデマッピング部５２は、例えば、図３に示すように、ODUk（k=1,2）フレームをデマッピングするODUｋデマッピング部５２ａと、ＥＳ（Elastic Store）部５２ｂとを備えている。
【００３７】
OTUkマッピング／デマッピング部６０は、４若しくは１６つのODU1フレーム又は１若しくは４つのODU2フレームを、ＸＯ９０からの基準クロックで生成されるOPU2ペイロード又はOPU3ペイロードに収容してOTU2フレーム又はOTU3フレームを構成する。また、OTUkマッピング／デマッピング部６０は、WDMネットワークからのOTU2フレーム又はOTU3フレームをデマッピングして、OPU2ペイロード又はOPU3ペイロードから４若しくは１６つのODU1フレーム又は１若しくは４つのODU2フレームを抽出する。
【００３８】
第１の光／電気変換部７０は、光信号と電気信号とを相互に変換する部分であり、WDMネットワークから受信するOTUk（k=2,3）信号の光信号を電気信号に変換して、OTUkマッピング／デマッピング部６０に出力する。また、第１の光／電気変換部７０は、OTUkマッピング／デマッピング部６０からの電気信号を光信号に変換して、WDMネットワークの伝送路に送出する。
【００３９】
クロック生成部８０は、デスタッフデマッピング部５２により抽出されたフレームにおけるジャスティフィケーション機能に基づき、クライアント信号に対応するクロックを生成する。なお、クロック生成部８０は、例えば、図３に示すように、ＬＰＦ（low-pass filter：低域濾波回路）８１と、ＶＣＸＯ（voltage-controlled crystal oscillator：電圧制御水晶発振器）８２とを備えるＰＬＬ（phase-locked loop：位相同期回路）である。
【００４０】
デマッピング部４０は、デマッパー部４１及び第２のフレーマー部４２を備えている。
デマッパー部４１は、クロック生成部８０により生成されたクロックに同期して、デスタッフデマッピング部５２により抽出されたフレームから、クライアント信号に対応するOC3/STM-1、OC12/STM-4又はOC48/STM-16のフレームのオーバヘッド及びペイロードを抽出する。
【００４１】
なお、光伝送装置１００が受信したOTUk信号に収容したクライアント信号がOC192/STM-64であるならば、デマッパー部４１は、フレームのオーバヘッド及びペイロードを抽出することなく、第２のフレーマー部４２を介して光学モジュール部１０にOC192/STM-64フレームを転送する。また、光伝送装置１００が受信したOTUk信号に収容したクライアント信号がOC48/STM-16であり、OC192/STM-64フレームにマッピングされていなければ、デマッパー部４１は、フレームのオーバヘッド及びペイロードを抽出することなく、第２のフレーマー部４２を介して光学モジュール部１０にOC192/STM-64フレームを転送する。
【００４２】
第２のフレーマー部４２は、デマッパー部４１により抽出したオーバヘッド及びペイロードに基づき、OC3/STM-1、OC12/STM-4又はOC48/STM-16のフレームを構成する。
【００４３】
つぎに、光伝送装置１００の処理動作について説明する。
なお、以下の説明においては、光伝送装置１００により、OC3/STM-1、OC12/STM-4又はOC48/STM-16であるクライアント信号とOTU2信号とを、OC48/STM-16フレームを利用して、相互に変換する場合について、図４及び図５を用いて説明する。この場合には、ODU1フレームを４多重することになり、光伝送装置１００は、光学モジュール部１０、クロックデータ再生部２０、マッピング部３０、デマッピング部４０及びOPUｋマッピング／デマッピング部５０を一対として４組備えることなる。すなわち、図２に示す光伝送装置１００は、図４に示す光伝送装置１００に相当する。
【００４４】
なお、図５（ｂ）において、ODU-OHとは光チャネルデータユニット−オーバーヘッド（Optical channel Data Unit-Over Head）の略称であり、FAS-OHとはフレーム調整信号−オーバーヘッド（Frame Alignment Signal-Over Head）の略称である。また、OTU-OHとは光チャネル伝送ユニット−オーバーヘッド（Optical Channel Transport Unit-Over Head）の略称であり、OPU-OHとは光チャネルペイロードユニット−オーバーヘッド（Optical Channel Payload Unit-Over Head）の略称である。また、OTU-FECとは光チャネル伝送ユニット−フレーム調整信号（Optical Channel Transport Unit-Frame Alignment Signal）の略称である。
【００４５】
まず、クライアント信号をOTU2信号に変換する場合（SONET/SDHネットワークからWDMネットワークへの伝送）について説明する。
光伝送装置１００は、クライアント信号を受信すると、第２の光／電気変換部１１により電気信号に変換し、パラレル／シリアル相互変換部１２によりシリアルデータに変換して、クロックデータ再生部２０にシリアルデータを出力する。
クロックデータ再生部２０は、シリアルデータからデータ及びクロックを抽出して、第１のフレーマー部３１に出力する。
【００４６】
第１のフレーマー部３１は、クロックデータ再生部２０から入力されるクロックに基づき、データのフレーム同期を取り、受信したクライアント信号に対応するOC3/STM-1、OC12/STM-4又はOC48/STM-16のフレームを構成する。例えば、光伝送装置１００が受信したクライアント信号がOC3であれば、図６（ｂ）に示すOC3のフレーム構成である。
【００４７】
そして、マッパー部３２は、クロックデータ再生部２０により抽出されたクロックを用いて、クライアント信号のフレームをOC48/STM-16フレームにマッピングして、OC48/STM-16フレームをスタッフマッピング部５１に出力する。なお、OC48/STM-16フレームへのマッピングの際には、クライアント信号のデータ、セクションオーバヘッド、パスオーバヘッド及びペイロードの全てが、OC48/STM-16フレームにおける該当のカラムに全てマッピングされる。例えば、光伝送装置１００が受信したクライアント信号がOC3であれば、図６（ｂ）に示すOC3フレームを、図６（ｃ）に示すOC48フレームにマッピングすることになる。
【００４８】
なお、光伝送装置１００が受信したクライアント信号がOC48/STM-16であるならば、マッパー部３２は、OC48/STM-16フレームにマッピングすることなく、データ及びクロックをスタッフマッピング部５１に転送する。
【００４９】
スタッフマッピング部５１は、マッパー部３２によりマッピング又は転送されたフレームを、ＸＯ９０からの基準クロックで生成されるOPU1ペイロード（ITU-T G.709 OPUk  CBR2G5）に収容してODU1フレームを構成し（図５（ｂ））、ODU1フレームをOTU2マッピング／デマッピング部６０に出力する。なお、SONET/SDH信号の周波数偏差±20ppmは、図６（ａ）に示すITU-T G.709で規定されたJC（Justification）バイトにより吸収され、非同期にマッピングされる。
【００５０】
OTU2マッピング／デマッピング部６０は、ODU1フレームを４多重して、ODTUG（Optical Channel Tributary Unit Group）2を構成する。そして、OTU2マッピング／デマッピング部６０は、ＸＯ９０からの基準クロックで生成されるOPU2ペイロードにODTUG2を収容してOTU2フレームを構成し（図５（ｂ））、OTU2フレームを第１の光／電気変換部７０に出力する。
第１の光／電気変換部７０は、OTU2マッピング／デマッピング部６０からのOTU2フレームを光信号に変換して、WDMネットワークの伝送路に送出する。
以上により、OC3/STM-1、OC12/STM-4又はOC48/STM-16であるクライアント信号をOTU2信号に変換することができる。
【００５１】
つぎに、対応するクライアント信号にOTU2信号を変換する場合（WDMネットワークからSONET/SDHネットワークへの伝送）について説明する。
光伝送装置１００は、OTU2信号を受信すると、第１の光／電気変換部７０により電気信号に変換して、OTU2マッピング／デマッピング部６０に出力する。
【００５２】
OTU2マッピング／デマッピング部６０は、WDMネットワークからのOTU2フレームをデマッピングして、OPU2ペイロードから４多重のODU1フレームを抽出し、分離したODU1フレームを４つのデスタッフデマッピング部５２にそれぞれ出力する。
【００５３】
各デスタッフデマッピング部５２における図３に示すODU1デマッピング部５２ａは、OTU2マッピング／デマッピング部６０より入力されたODU1フレームをデマッピングして、OPU1ペイロードからOC48/STM-16フレームを抽出し、ＥＳ部５２ｂに出力する。
【００５４】
ＥＳ部５２ｂは、OC48/STM-16フレームにおけるJC（Justification）バイトの数に基づき、周波数偏差を算出し、ＬＰＦ８１を介してＶＣＸＯ８２に位相制御信号を出力する。これより、ＥＳ部５２ｂは、ＰＬＬであるクロック生成部８０の制御を行い、ＶＣＸＯ８２にてクロックを生成して、デマッパー部４１に出力する。
【００５５】
例えば、図７（ａ）に示すように、JCバイトの数における増減の周期が一定である場合には、所定の閾値に対して生成されるパルス（ＬＰＦ８１への入力パルス）のデューティ比が５０％となり、ＶＣＸＯ８２は一定の周波数のクロックを出力することになる。また、図７（ｂ）及び図７（ｃ）に示すように、JCバイトの数における増減の周期が変化した場合には、所定の閾値に対して生成されるパルス（ＬＰＦ８１への入力パルス）のデューティ比が変化し、ＶＣＸＯ８２からの出力周波数は変化することになる。
【００５６】
デマッパー部４１は、クロック生成部８０により生成されたクロックに同期して、デスタッフデマッピング部５２により抽出されたOC48/STM-16フレームを読み出す。そして、デマッパー部４１は、OC48/STM-16フレームから、クライアント信号に対応するOC3/STM-1、OC12/STM-4又はOC48/STM-16のフレームのオーバヘッド及びペイロードを抽出し、第２のフレーマー部４２に出力する。
【００５７】
第２のフレーマー部４２は、デマッパー部４１により抽出したオーバヘッド及びペイロードに基づき、OC3/STM-1、OC12/STM-4又はOC48/STM-16のフレームを構成し、パラレル／シリアル相互変換部１２を介して、第２の光／電気変換部１１に出力する。
【００５８】
第２の光／電気変換部１１は、パラレル／シリアル相互変換部１２からの電気信号を光信号に変換して、SONET/SDHネットワークの伝送路に送出する。
以上により、OTU2信号をOC3/STM-1、OC12/STM-4又はOC48/STM-16であるクライアント信号に変換することができる。
【００５９】
なお、以上の説明においては、OC3/STM-1、OC12/STM-4又はOC48/STM-16であるクライアント信号とOTU2信号とを、OC48/STM-16フレームを利用して、相互に変換する場合について説明したが、当該クライアント信号とOTU3信号とを、相互に変換することも可能である。この場合には、図８に示すように、ODU1フレームを１６多重することになり、光伝送装置１００は、光学モジュール部１０、クロックデータ再生部２０、マッピング部３０、デマッピング部４０及びOPUｋマッピング／デマッピング部５０を一対として１６組備えることなる。
【００６０】
また、光伝送装置１００は、OC3/STM-1、OC12/STM-4、OC48/STM-16又はOC192/STM-64であるクライアント信号とOTU2信号とを、OC192/STM-64フレームを利用して、相互に変換することも可能である。この場合には、図９に示すように、ODU2フレームを多重することなく、光伝送装置１００は、光学モジュール部１０、クロックデータ再生部２０、マッピング部３０、デマッピング部４０及びOPUｋマッピング／デマッピング部５０を一対として１組備えることなる。
【００６１】
また、光伝送装置１００は、OC3/STM-1、OC12/STM-4、OC48/STM-16又はOC192/STM-64であるクライアント信号とOTU3信号とを、OC192/STM-64フレームを利用して、相互に変換することも可能である。この場合には、図１０に示すように、ODU2フレームを４多重することになり、光伝送装置１００は、光学モジュール部１０、クロックデータ再生部２０、マッピング部３０、デマッピング部４０及びOPUｋマッピング／デマッピング部５０を一対として４組備えることなる。
【００６２】
以上のように、本実施形態に係る光伝送装置１００は、OC48/STM-16及びOC192/STM-64のクライアント信号のみならず、低レイヤであるOC3/STM-1及びOC12/STM-4のクライアント信号に対しても、トランスペアレント伝送を可能にするという作用効果を奏する。
【００６３】
（本発明の第２の実施形態）
図１１は図２に示すクロック生成部の内部構成の他の例を示すブロック図、図１２は図２に示すクロック生成部の内部構成のさらに他の例を示すブロック図である。図１１及び図１２において、図１〜図１０と同じ符号は、同一又は相当部分を示し、その説明を省略する。
【００６４】
図１１において、クロック生成部８０は、図３に示すクロック生成部８０に対して、ＸＯ８３、クロック断検出部８４、ＯＲゲート８５及びＳＥＬ（Selector：セレクタ回路）８６を、さらに備えている。
ＸＯ８３は、装置内の基準クロックを生成し、基準クロックをＳＥＬ８６に出力する水晶発振器であり、ＸＯ９０と共通させてもよい。
【００６５】
クロック断検出部８４は、ＥＳ５２ｂからの位相制御信号の切断を検出し、ＯＲゲート８５に断信号を出力する。
【００６６】
ＯＲゲート８５は、クロック断検出部８４からの断信号、又は下表１に示すOTUkアラーム、ODUｋアラーム若しくはSONETアラームである各レイヤからの警報転送信号に基づき、ＳＥＬ８６に制御信号を出力する。
【００６７】
【表１】
2010206625.tif 000003
【００６８】
ＳＥＬ８６は、デマッパー部４１に出力するクロックを、ＯＲゲート８５からの制御信号に基づき、ＶＣＸＯ８２からのクロックから、ＸＯ８３からの基準クロックに変更する。
【００６９】
なお、この第２の実施形態に係る光伝送装置１００においては、クロック生成部８０として、ＸＯ８３、クロック断検出部８４、ＯＲゲート８５及びＳＥＬ８６をさらに備えているところのみが第１の実施形態と異なるところである。この違いによる作用効果以外は、第１の実施形態と同様の作用効果を奏する。
【００７０】
第１の実施形態に係る光伝送装置１００は、ＷＤＭネットワークの伝送路の故障により、OPUkフレームにおけるJCバイトが潰れた場合に、クロックが伝送できずに、ＶＣＸＯ８２がフリーランし、SONET/SDHの周波数偏差（±20ppm以内）を満足できない場合がある。
【００７１】
このため、第２の実施形態に係る光伝送装置１００は、伝送路の故障が発生した場合に、デマッパー部４１に出力するクロックを、ＶＣＸＯ８２のクロックからＸＯ８３の基準クロックに、ＳＥＬ８６により切り替える。これにより、ＶＣＸＯ８２のフリーランを回避することができ、延いては、光伝送装置１００に対向するSONET/SDH装置において、周波数偏差の許容不足によるＬＯＦ（Loss of Frame：フレーム損失）等の検出を防止することができるという作用効果を奏する。
【００７２】
なお、図１１に示すように、水晶振動子を用いたＸＯ８３では、周波数の精度が高いが、周波数を変化できない。そこで、図１２に示すように、クロック生成部８０は、分周器８７をさらに備えることにより、分周器８７の分周数を設定することで、任意の周波数であり、周波数精度の高い出力信号を得ることができるという作用効果を奏する。
【００７３】
特に、クロック生成部８０は、図１２に示すように、分周器８７により分周した周波数を有するクロックの位相と、ＸＯ８３からの基準クロックの位相とを比較する位相比較器８８を備え、低速側である基準クロックによりＶＣＸＯが発信することになる。なお、図１２に示すＸＯ８３で生成されるクロックの周波数（例えば、７８ＭＨｚ程度）は、図１１に示すＸＯ８３で生成されるクロックの周波数（例えば、６６９ＭＨｚ程度）よりも低いものとする。
【００７４】
（本発明の第３の実施形態）
図１３（ａ）は図２に示す第１のフレーマー部及びマッパー部の内部構成の一例を示すブロック図、図１３（ｂ）はデマッパー部及び第２のフレーマー部の内部構成の一例を示すブロック図である。また、図１４（ａ）はマッパー側におけるB1バイト及びB2バイトの再挿入処理を説明するための説明図、図１４（ｂ）はデマッパー側におけるB1バイト及びB2バイトの再挿入処理を説明するための説明図である。図１３及び図１４において、図１〜図１２と同じ符号は、同一又は相当部分を示し、その説明を省略する。
【００７５】
図１３（ａ）において、第１のフレーマー部３１は、第１のフレーム同期部３１ａと、第１のＢ１／Ｂ２結果検出部３１ｂとを備えている。
第１のフレーム同期部３１ａは、クロックデータ再生部２０からのデータのフレーム同期を取り、第１のＢ１／Ｂ２結果検出部３１ｂに出力する。
【００７６】
第１のＢ１／Ｂ２結果検出部３１ｂは、クロックデータ再生部２０からのデータに対応するOC3/STM-1、OC12/STM-4又はOC48/STM-16（例えば、図１４（ａ）に示す左側のフレーム）におけるB1バイト及びB2バイトの結果をそれぞれ検出する。
【００７７】
なお、光伝送装置１００が受信したクライアント信号がOC192/STM-64であるならば、第１のＢ１／Ｂ２結果検出部３１ｂは、B1バイト及びB2バイトの結果を検出することなく、スタッフマッピング部５１にデータ及びクロックを転送する。また、クライアント信号をOC48/STM-16フレームにマッピングする設定であり、光伝送装置１００が受信したクライアント信号がOC48/STM-16であるならば、第１のＢ１／Ｂ２結果検出部３１ｂは、B1バイト及びB2バイトの結果を検出することなく、スタッフマッピング部５１にデータ及びクロックを転送する。
マッパー部３２は、タイムスロットマッピング部３２ａと、第１のＢ１／Ｂ２演算部３２ｂと、第１のＢ１／Ｂ２再挿入部３２ｃとを備えている。
【００７８】
タイムスロットマッピング部３２ａは、第１のフレーマー部３１からのデータに対応するOC3/STM-1、OC12/STM-4又はOC48/STM-16のフレームを、フレーム同期して、OC48/STM-16又はOC192/STM-64のフレーム構成にマッピングする。
【００７９】
なお、光伝送装置１００が受信したクライアント信号がOC192/STM-64であるならば、タイムスロットマッピング部３２ａは、マッピングすることなく、スタッフマッピング部５１にデータ及びクロックを転送する。また、クライアント信号をOC48/STM-16フレームにマッピングする設定であり、光伝送装置１００が受信したクライアント信号がOC48/STM-16であるならば、タイムスロットマッピング部３２ａは、マッピングすることなく、スタッフマッピング部５１にデータ及びクロックを転送する。
【００８０】
第１のＢ１／Ｂ２演算部３２ｂは、タイムスロットマッピング部３２ａによりマッピングされた、OC48/STM-16又はOC192/STM-64のフレーム（例えば、図１４（ａ）に示す右側のフレーム）におけるB1バイト及びB2バイトをそれぞれ演算する。なお、B1バイト及びB2バイトを演算するうえで、B1バイトの演算範囲及びB2バイトの演算範囲は、ペイロードの所定の領域にあり、ITU-Tにより標準化されている。
【００８１】
なお、光伝送装置１００が受信したクライアント信号がOC192/STM-64であるならば、第１のＢ１／Ｂ２演算部３２ｂは、B1バイト及びB2バイトを演算することなく、スタッフマッピング部５１にデータ及びクロックを転送する。また、クライアント信号をOC48/STM-16フレームにマッピングする設定であり、光伝送装置１００が受信したクライアント信号がOC48/STM-16であるならば、第１のＢ１／Ｂ２演算部３２ｂは、B1バイト及びB2バイトを演算することなく、スタッフマッピング部５１にデータ及びクロックを転送する。
【００８２】
第１のＢ１／Ｂ２再挿入部３２ｃは、第１のＢ１／Ｂ２結果検出部３１ｂにより検出されたB1バイトの検出結果及び第１のＢ１／Ｂ２演算部３２ｂにより演算されたB1バイトの演算結果の排他的論理和（ＸＯＲ）を演算する。また、第１のＢ１／Ｂ２再挿入部３２ｃは、第１のＢ１／Ｂ２結果検出部３１ｂにより検出されたB2バイトの検出結果及び第１のＢ１／Ｂ２演算部３２ｂにより演算されたB2バイトの演算結果の排他的論理和（ＸＯＲ）を演算する。
【００８３】
そして、第１のＢ１／Ｂ２再挿入部３２ｃは、タイムスロットマッピング部３２ａによりマッピングされた、OC48/STM-16又はOC192/STM-64のフレーム（例えば、図１４（ａ）に示す右側のフレーム）におけるB1バイトにB1バイトの演算結果を挿入する。また、第１のＢ１／Ｂ２再挿入部３２ｃは、タイムスロットマッピング部３２ａによりマッピングされた、OC48/STM-16又はOC192/STM-64のフレーム（例えば、図１４（ａ）に示す右側のフレーム）におけるB2バイトにB2バイトの演算結果を挿入する。
【００８４】
なお、光伝送装置１００が受信したクライアント信号がOC192/STM-64であるならば、第１のＢ１／Ｂ２再挿入部３２ｃは、排他的論理和（ＸＯＲ）を演算及び挿入することなく、スタッフマッピング部５１にデータ及びクロックを転送する。また、クライアント信号をOC48/STM-16フレームにマッピングする設定であり、光伝送装置１００が受信したクライアント信号がOC48/STM-16であるならば、第１のＢ１／Ｂ２再挿入部３２ｃは、排他的論理和（ＸＯＲ）を演算及び挿入することなく、スタッフマッピング部５１にデータ及びクロックを転送する。
【００８５】
図１３（ｂ）において、デマッパー部４１は、第２のフレーム同期部４１ａと、第２のＢ１／Ｂ２結果検出部４１ｂと、タイムスロットデマッピング部４１ｃとを備えている。
第２のフレーム同期部４１ａは、クロック生成部８０により生成されたクロックに基づき、フレーム同期を取り、第２のＢ１／Ｂ２結果検出部４１ｂに出力する。
【００８６】
第２のＢ１／Ｂ２結果検出部４１ｂは、デスタッフデマッピング部５２により抽出されたフレーム（例えば、図１４（ｂ）に示す右側のフレーム）におけるB1バイト及びB2バイトの結果をそれぞれ検出する。
【００８７】
なお、光伝送装置１００が受信したOTUk信号に収容したクライアント信号がOC192/STM-64であるならば、第２のＢ１／Ｂ２結果検出部４１ｂは、B1バイト及びB2バイトの結果を検出することなく、光学モジュール部１０にOC192/STM-64フレームを転送する。また、光伝送装置１００が受信したOTUk信号に収容したクライアント信号がOC48/STM-16であり、OC192/STM-64フレームにマッピングされていなければ、B1バイト及びB2バイトの結果を検出することなく、光学モジュール部１０にOC48/STM-16フレームを転送する。
【００８８】
タイムスロットデマッピング部４１ｃは、クロック生成部８０により生成されたクロックに同期して、デスタッフデマッピング部５２により抽出されたフレームから、クライアント信号に対応するOC3/STM-1、OC12/STM-4又はOC48/STM-16のフレームのオーバヘッド及びペイロードを抽出する。
【００８９】
なお、光伝送装置１００が受信したOTUk信号に収容したクライアント信号がOC192/STM-64であるならば、タイムスロットデマッピング部４１ｃは、フレームのオーバヘッド及びペイロードを抽出することなく、光学モジュール部１０にOC192/STM-64フレームを転送する。また、光伝送装置１００が受信したOTUk信号に収容したクライアント信号がOC48/STM-16であり、OC192/STM-64フレームにマッピングされていなければ、タイムスロットデマッピング部４１ｃは、フレームのオーバヘッド及びペイロードを抽出することなく、光学モジュール部１０にOC48/STM-16フレームを転送する。
【００９０】
第２のフレーマー部４２は、第２のＢ１／Ｂ２演算部４２ａと、第２のＢ１／Ｂ２再挿入部４２ｂとを備えている。
第２のＢ１／Ｂ２演算部４２ａは、タイムスロットデマッピング部４１ｃにより抽出したオーバヘッド及びペイロードに基づき構成した、OC3/STM-1、OC12/STM-4又はOC48/STM-16のフレーム（例えば、図１４（ｂ）に示す左側のフレーム）におけるB1バイト及びB2バイトをそれぞれ演算する。なお、B1バイト及びB2バイトを演算するうえで、B1バイトの演算範囲及びB2バイトの演算範囲は、ペイロードの所定の領域にあり、ITU-Tにより標準化されている。
【００９１】
なお、光伝送装置１００が受信したOTUk信号に収容したクライアント信号がOC192/STM-64であるならば、第２のＢ１／Ｂ２演算部４２ａは、B1バイト及びB2バイトを演算することなく、光学モジュール部１０にOC192/STM-64フレームを転送する。また、光伝送装置１００が受信したOTUk信号に収容したクライアント信号がOC48/STM-16であり、OC192/STM-64フレームにマッピングされていなければ、第２のＢ１／Ｂ２演算部４２ａは、B1バイト及びB2バイトを演算することなく、光学モジュール部１０にOC48/STM-16フレームを転送する。
【００９２】
第２のＢ１／Ｂ２再挿入部４２ｂは、第２のＢ１／Ｂ２結果検出部４１ｂにより検出されたB1バイトの検出結果及び第２のＢ１／Ｂ２演算部４２ａにより演算されたB1バイトの演算結果の排他的論理和（ＸＯＲ）を演算する。また、第２のＢ１／Ｂ２再挿入部４２ｂは、第２のＢ１／Ｂ２結果検出部４１ｂにより検出されたB2バイトの検出結果及び第２のＢ１／Ｂ２演算部４２ａにより演算されたB2バイトの演算結果の排他的論理和（ＸＯＲ）を演算する。
【００９３】
そして、第２のＢ１／Ｂ２再挿入部４２ｂは、OC3/STM-1、OC12/STM-4又はOC48/STM-16のフレーム（例えば、図１４（ｂ）に示す左側のフレーム）におけるB1バイトにB1バイトの演算結果を挿入する。また、第２のＢ１／Ｂ２再挿入部４２ｂは、OC3/STM-1、OC12/STM-4又はOC48/STM-16のフレーム（例えば、図１４（ｂ）に示す左側のフレーム）におけるB2バイトにB2バイトの演算結果を挿入する。
【００９４】
なお、光伝送装置１００が受信したOTUk信号に収容したクライアント信号がOC192/STM-64であるならば、第２のＢ１／Ｂ２再挿入部４２ｂは、排他的論理和（ＸＯＲ）を演算及び挿入することなく、光学モジュール部１０にOC192/STM-64フレームを転送する。また、光伝送装置１００が受信したOTUk信号に収容したクライアント信号がOC48/STM-16であり、OC192/STM-64フレームにマッピングされていなければ、第２のＢ１／Ｂ２再挿入部４２ｂは、排他的論理和（ＸＯＲ）を演算及び挿入することなく、光学モジュール部１０にOC48/STM-16フレームを転送する。
【００９５】
なお、この第３の実施形態に係る光伝送装置１００においては、B1バイト及びB2バイトを排他的論理和により演算して、フレームのB1バイト及びB2バイトに再挿入するところのみが第１の実施形態及び第２の実施形態と異なるところである。この違いによる作用効果以外は、第１の実施形態及び第２の実施形態と同様の作用効果を奏する。
【００９６】
第１の実施形態及び第２の実施形態に係る光伝送装置１００は、伝送するフレームを終端してマッピング又はデマッピングするために、SONET/SDHフレームのセクション間のエラー数を通知するB1バイト及びB2バイトとして、新たなパリティ演算の結果が乗せ換えられている。この乗せ換えられたB1バイト及びB2バイトの演算結果は、エラーが消去され、エラー数を０として伝送され、誤ったエラー数が伝送される場合がある。
【００９７】
このため、第３の実施形態に係る光伝送装置１００は、B1バイト及びB2バイトのエラー数に対して、誤ったエラー数を伝送することなく、WDMネットワークを介して、対向のSONET/SDH装置にトランスペアレントに伝送することができるという作用効果を奏する。
【符号の説明】
【００９８】
１０    光学モジュール部
１１    第２の光／電気変換部
１２    パラレル／シリアル相互変換部
２０    クロックデータ再生部
３０    マッピング部
３１    第１のフレーマー部
３１ａ  第１のフレーム同期部
３１ｂ  第１のＢ１／Ｂ２結果検出部
３２    マッパー部
３２ａ  タイムスロットマッピング部
３２ｂ  第１のＢ１／Ｂ２演算部
３２ｃ  第１のＢ１／Ｂ２再挿入部
４０    デマッピング部
４１    デマッパー部
４１ａ  第２のフレーム同期部
４１ｂ  第２のＢ１／Ｂ２結果検出部
４１ｃ  タイムスロットデマッピング部
４２    第２のフレーマー部
４２ａ  第２のＢ１／Ｂ２演算部
４２ｂ  第２のＢ１／Ｂ２再挿入部
５０    OPUｋマッピング／デマッピング部
５１    スタッフマッピング部
５２    デスタッフデマッピング部
５２ａ  ODUｋデマッピング部
５２ｂ  ＥＳ部
６０    OTUｋマッピング／デマッピング部
７０    第１の光／電気変換部
８０    クロック生成部
８１    ＬＰＦ
８２    ＶＣＸＯ
８４    クロック断検出部
８５    ＯＲゲート
８６    ＳＥＬ
８７    分周器
８８    位相比較器
１００  光伝送装置
【図１】
2010206625.tif 000004
【図２】
2010206625.tif 000005
【図３】
2010206625.tif 000006
【図４】
2010206625.tif 000007
【図５】
2010206625.tif 000008
【図７】
2010206625.tif 000009
【図８】
2010206625.tif 000010
【図９】
2010206625.tif 000011
【図１０】
2010206625.tif 000012
【図１１】
2010206625.tif 000013
【図１２】
2010206625.tif 000014
【図１３】
2010206625.tif 000015
【図１４】
2010206625.tif 000016
【図１６】
2010206625.tif 000017
【図１７】
2010206625.tif 000018
【図６】
2010206625.tif 000019
【図１５】
2010206625.tif 000020